(57)【特許請求の範囲】
【請求項１】
室外に設置され、磁気カードに記録された磁気記録信号を読み取るための磁気カードリーダと、室内側のコントローラに配設された登録起動釦を備え、磁気カードに記録された磁気記録信号をカード登録用として読み取るか、或は電気錠や自動ドア制御用として読み取るかを選択するための切替装置と、磁気カードリーダに内蔵され、磁気記録信号をカード登録用として読み取った場合、その磁気記録信号を登録保存しておく記憶領域を指定するためのアドレス番号指定装置と、磁気記録信号をアドレス番号領域に格納するための磁気記録信号格納装置と、磁気記録信号を電気錠制御用として読み取った場合、読み取られた磁気記録信号が予め登録されている磁気記録信号のいずれかと合致しているか否かを判定し、合致していれば解錠信号を電気錠や自動ドアに供給する信号合致判定装置とを有することを特徴とする共通扉口におけるカード錠装置。
【発明の詳細な説明】
【０００１】
【産業上の利用分野】
この発明は、特定多数の人間が共通に使用する扉口の電気錠や自動ドア（以下単に電気錠という）を制御するためのカード錠装置に係り、特に、単一の磁気カードリーダをカード登録用と電気錠制御用とに併用するようにして構成の簡素化を図った共通扉口におけるカード錠装置（以下単にカード錠装置という）に関する。
【０００２】
【従来の技術】
特定多数の人間が、事務所の扉口や、マンションの玄関扉等、共通扉口を使用する場合、各個人の所有する社員カードや個人部屋カード等を前もってカード錠に個別に登録しておき、これらのカードを使用して共通扉口の電気錠を制御するようにし、非登録人の侵入を防止することが行われている。
【０００３】
しかして、従来のカード登録は、カードを登録する場合、各カードに記録された磁気記録信号を、例えば管理人室に設置されたカード登録専用の磁気カードリーダで読み取らせることで行っている。
【０００４】
又、登録されたカードにより扉口の電気錠を制御する場合は、カードの磁気記録信号をエントランスホール等の室外に設置された電気錠制御専用の磁気カードリーダで読み取らせることで行っている。
【０００５】
上記した従来の共通扉口におけるカード錠装置は、名刺大の小さなカードで容易に共通扉口の電気錠の制御ができるとともに、カード登録用の磁気カードリーダが室内側に設置され、第三者が勝手に磁気カードの登録ができないので、非登録人の侵入が防止できて安全性が高く、広く実用されている。
【０００６】
【発明が解決しようとする課題】
しかしながら、カードを登録する場合も、カードにより扉口の電気錠を制御する場合もカードに記録された磁気記録信号を磁気カードリーダで読み取らせるプロセスは同じである。
【０００７】
従って、あえてカード登録の際に登録用の磁気カードリーダで読み取らせ、一方、扉口の電気錠の制御の際に電気錠制御用の磁気カードリーダで読み取らせるということは同一の機能を有する機器を重複して配設することとなり経済的でない、という不都合がある。
【０００８】
特にカード錠装置において、磁気カードリーダは、電気錠制御装置とともに機器の精度上からいっても、コスト面から見ても重要な機器のうちの一つであり、磁気カードリーダの重複設置はカード錠装置の製作コストとメンテナンスコストとの増大に悪影響を及ぼすこと甚大である。
【０００９】
そこで、この発明は、磁気カードリーダの使用の合理化を図り、上記した不都合を解消できる共通扉口のカード錠装置を提供することを目的としている。
【００１０】
【課題を解決するための手段】
上記の目的を達成するため、この発明は、室外に設置され、磁気カードに記録された磁気記録信号を読み取るための磁気カードリーダと、室内側のコントローラに配設された登録起動釦を備え、磁気カードに記録された磁気記録信号をカード登録用として読み取るか、或は電気錠制御用として読み取るかを選択するための切替装置と、磁気カードリーダに内蔵され、磁気記録信号をカード登録用として読み取った場合その磁気記録信号を登録保存しておく記憶領域を指定するためのアドレス番号指定装置と、磁気記録信号をアドレス番号領域に格納するための磁気記録信号格納装置と、磁気記録信号を電気錠制御用として読み取った場合、読み取られた磁気記録信号が予め登録されている磁気記録信号のいずれかと合致しているか否かを判定し、合致していれば解錠信号を電気錠や自動ドアに供給する信号合致判定装置とを有することを特徴とする。
【００１１】
【作用】
図１に示すように、上記のように構成されたこの発明によるカード錠装置は、磁気カードリーダをカード登録用として使用するとともに、電気錠制御用としても使用する。この使用方法のうち、どちらを選択するかを切替装置により切り替える。
【００１２】
もし、切替装置をカード登録用に選択した場合には、磁気カードリーダは、カードに記録された磁気記録信号を読み取り、アドレス番号の指定を待つ。
【００１３】
読み取った磁気記録信号を登録保存しておく記憶領域を指定するアドレス番号を入力するため、アドレス番号指定装置により、アドレス番号を指定する。
【００１４】
アドレス番号指定により、磁気記録信号格納装置は、アドレス番号と磁気記録信号を１対１の対応関係を保持するように装置内に格納する。
【００１５】
アドレス番号は、将来において、当該カードを廃棄したり、更新する場合にも使用される。
【００１６】
前述の切替装置を電気錠制御用に選択した場合には、磁気カードリーダはカードに記録された磁気記録信号を読み取る。
【００１７】
次に、読み取られた磁気記録信号が、予めアドレス番号の１つ１つに対応して格納されている磁気記録信号のうちの少くとも１つの信号に合致しているか否かを信号合致判定装置により判定する。
【００１８】
判定の結果合致していれば、読み取られたカードは登録済みのものであるから、ここで、信号合致判定装置は解錠信号を電気錠に供給し、解錠信号を受け取った電気錠は解錠する。共通扉口においては、通常、モータによるガラス引き戸が開き、一定時間後自動的に閉じる。
【００１９】
【実施例】
以下、この発明の実施例を図面を参照して説明する。
【００２０】
図２において、符号１は磁気カードリーダを示し、この磁気カードリーダ１は、共通扉口の外側、例えばマンションのエントランスホールに配置される。図２では内部が判るように化粧カバーは取外してある。
【００２１】
磁気カードリーダ１にはスリット２が開口しており、また、アドレス番号指定装置３が内蔵されている。
【００２２】
磁気カードリーダ１は、磁気記録信号を記録したカードをスリット２に挿入してから、スリット長手方向にスライドさせ、内蔵された磁気ヘッドにより磁気記録信号を読み取る。
【００２３】
これは本発明の必須の構成ではないが、磁気カードリーダをカードの登録に用いる場合、カードの挿入とスライド操作を２回行う。
【００２４】
アドレス番号指定装置３は、アドレス番号の算用数字の各桁毎に押しボタン３ａが配設されており、各桁毎の数字の数だけ各押しボタンを押し、その押釦３ａの押動回数をディスプレイ３ｂに表示させて入力する。
【００２５】
アドレス番号入力の方法には、上記した方法の他に、アドレス番号の各桁毎に回動つまみが配設されており、各回動つまみを夫々３６０度以内で回動し、数字と回動角度との対応関係により数字を入力する方法もあるが、アドレス番号入力の方式については、この発明の要旨ではないので、いずれの方式によることも妨げるものではない。
【００２６】
図２において、鎖線より右側は室内側コントローラ５を示し、例えば、管理人室等共通扉口の内側に設置される。図では、内部が判るように化粧カバーを取り外して示すと共に、内部構造も模式化したブロック図で示してある。
【００２７】
切替装置６は、登録起動ボタン７が押されるとカード登録が選択され、登録起動ボタン７が１回も押されないか、或は続けて２回押されれば、電気錠制御が選択されるように作用する。
【００２８】
先ず、第１の選択であるカード登録の場合について説明する。
【００２９】
登録起動ボタン７を１回押すことにより、切替装置６においてカード登録の選択が行われる。
【００３０】
続いて、カードを磁気カードリーダ１のスリット２の上部に挿入し、下方にスライドする。カードを一旦スリットから抜き取り、再びスリット２の上部に挿入し、下方にスライドする。
【００３１】
登録用コントローラ８は、読み取られた磁気記録信号を内蔵しているバッファメモリに格納し、アドレス番号の指定を待つ。
【００３２】
次に、カードの所持人はアドレス番号指定装置３の各桁毎の押しボタン３ａを所要回数だけ押し、ディスプレイ３ｂ上に３桁の数字を表示させる。例えば、アドレス番号を７２４としたければ、百の桁の押しボタンを７回、十の桁の押しボタンを２回、一の桁の押しボタンを４回押す。
【００３３】
ディスプレイ３ｂ上の数字が正しいことを確認した後、登録ボタン４を押し、アドレス番号を登録用コントローラ８に転送する。
【００３４】
登録用コントローラ８は、指定され、転送されたアドレス番号が既に登録されたアドレス番号と重複していないかチェックし、支障がなければこれを受け入れ、磁気記録信号格納装置９に転送する。
【００３５】
磁気記録信号格納装置９は、読み取られた磁気記録信号を、アドレス番号毎に予め１対１の対応関係で設定された記憶領域の枠内に記憶格納する。
【００３６】
なお、図示されてはいないが、登録済みのカードを登録抹消する場合は、アドレス番号を指定したあと、登録用コントローラ８に内蔵している抹消ボタンを押して抹消信号を発生させ、該アドレス番号のカードの登録を抹消することができる。
【００３７】
又、上記の説明では、カードの読み取り操作を先に、アドレス番号の指定操作を後にしているが、この２操作は、どちらを先に行っても構わない。
【００３８】
次に、切替装置６の第２の選択である電気錠制御の場合について説明する。
【００３９】
電気錠制御の場合は、通常のカード錠による電気錠制御方式と変わった点はないし、この発明の要旨ではないので簡単に説明する。
【００４０】
登録起動ボタン７を押さなければ、切替装置６は電気錠制御モードに設定される。又、誤って登録起動ボタンを押してしまった場合は、再度押すことにより電気錠制御の選択が行われる。
【００４１】
共通扉口に置いて電気錠を解錠し建物内部に入ろうとする者は、カードを磁気カードリーダ２のスリット上部に挿入し、下方にスライドする。このようにして、カードから磁気記録信号が読み取られる。
【００４２】
そして、信号合致判定装置１０は、読み取られたカードの磁気記録信号と磁気記録信号格納装置９内に各アドレス番号毎に格納、蓄積されている磁気記録信号とを比較する。この比較操作は登録されているすべての登録カードのアドレス番号について行う。
【００４３】
比較の結果、合致してるものがあれば、読み取られたカードは登録済みのカードであると認められるから、解錠信号を電気錠１１に送り、電気錠は解錠する。
【００４４】
なお、本発明においては、登録起動ボタン７を室内側コントローラ５に配設している。これは部外者が勝手にカードを登録することを防止するためである。
【００４５】
尚、上記した本発明カード錠装置を構成する各装置は、所謂ハードウエアで組立た装置により構成してもよいが、本発明においては、次に示すように、マイクロコンピュータの機能を利用し、所謂ソフトウエア的に構成している。
【００４６】
次に、この発明の作動状況をより判りやすく説明するために、図３に示すフローチャートに基づいて説明する。図中Ｐ１〜Ｐ１１はフローチャートの各ステップを示す。
【００４７】
電源投入により、ステップＰ１で自動的にスタートする。
【００４８】
ステップＰ２で登録起動ボタン７が押されたか否かを検定し、結果がＹＥＳであればステップＰ３に進む。
【００４９】
ステップＰ３で再度登録起動ボタンが押されたか否かを検定し、結果がＹＥＳであればステップＰ２へ戻り、結果がＮＯであればステップＰ４へ進む。
【００５０】
ステップＰ４でカードの読み取りが行われた否かを検定し、結果がＮＯであればステップＰ３へ戻り、結果がＹＥＳであればステップＰ５へ進む。
【００５１】
ステップＰ５で再度カードの読み取りが行われた否かを検定し、結果がＮＯであればステップＰ５へ戻り、結果がＹＥＳであればステップＰ６へ進む。
【００５２】
ステップＰ６でアドレス番号が指定されたか否かを検定し、結果がＮＯであればステップＰ６へ戻り、結果がＹＥＳであればステップＰ７へ進む。
【００５３】
ステップＰ７でアドレス番号と、読み取られた磁気記録信号を記憶格納し、スタートへ戻る。
【００５４】
ステップＰ２において結果がＮＯであればステップＰ８へ進む。
【００５５】
ステップＰ８において、カードの読み取りが行われたか否かを検定し、結果がＮＯであればステップＰ２へ戻る。結果がＹＥＳであればステップＰ９へ進む。
【００５６】
ステップＰ９で読み取られた磁気記録信号が登録済みのカードの磁気記録信号のうちの何れかと合致しているかを検定し、結果がＮＯであればステップＰ２へ戻る。結果がＹＥＳであればステップＰ１０へ進む。
【００５７】
ステップＰ１０において解錠信号を電気錠に供給する。
【００５８】
ステップＰ１１において電気錠は解錠する。
【００５９】
【発明の効果】
以上の説明から明らかなように、この発明は、カード登録用の磁気カードリーダと、電気錠制御用の磁気カードリーダとを共通の磁気カードリーダで兼用させたために、カード錠装置の製作コストとメンテナンスコストを大幅に低減させ得るという優れた効果がある。
【図面の簡単な説明】
【図１】この発明の装置構成を示すブロック図。
【図２】この発明の一実施例によるコントロールパネルの構成を示すブロック図。
【図３】この発明によるカード錠装置を制御するマイクロコンピュータのフローチャート。
【符号の説明】
１  磁気カードリーダ
２  スリット
３  アドレス番号指定装置
４  登録ボタン
５  室内側コントローラ
６  切替装置
７  登録起動ボタン
８  登録用コントローラ
９  磁気記録信号格納装置
１０  信号合致判定装置
１１  電気錠
【図１】
0003583813.tif 000002
【図２】
0003583813.tif 000003
【図３】
0003583813.tif 000004